【手続補正書】
【提出日】平成20年4月8日(2008.4.8)
【手続補正１】
【補正対象書類名】特許請求の範囲
【補正対象項目名】全文
【補正方法】変更
【補正の内容】
【特許請求の範囲】
【請求項１】
電子的に画像表示を行うことが可能な液晶ディスプレイ及び覗き込み型のビューファインダーを有する撮像再生装置であって、
撮影時または再生時のメニュー表示において、前記覗き込み型のビューファインダーに所定のメニューを表示させるメニュー表示制御手段を有することを特徴とする撮像再生装置。
【請求項２】
前記メニュー表示制御手段は、撮影時または再生時のメニュー表示において、前記覗き込み型のビューファインダーに目の生体認証の設定を行うメニューを表示させることを特徴とする請求項１に記載の撮像再生装置。
【請求項３】
前記メニュー表示制御手段は、撮影時または再生時のメニュー表示において、前記覗き込み型のビューファインダーに視線入力ＡＦ用の視線キャリブレーションを行うメニューを表示させることを特徴とする請求項１または２に記載の撮像再生装置。
【請求項４】
前記メニュー表示制御手段は、撮影時または再生時のメニュー表示において、前記覗き込み型のビューファインダーにパスワード設定を行うメニューを表示させることを特徴とする請求項１〜３の何れか１項に記載の撮像再生装置。
【請求項５】
電子的に画像表示を行うことが可能な液晶ディスプレイ及び覗き込み型のビューファインダーと、再生画像を記憶するための画像記憶部とを有する撮像再生装置であって、
前記画像記憶部に記憶している画像を前記液晶ディスプレイでのみ再生表示させるか、または前記覗き込み型のビューファインダーのみで再生表示させるか、または前記液晶ディスプレイ及び前記覗き込み型のビューファインダーの両方で再生表示させるかをユーザが選択するための再生表示選択手段を有することを特徴とする撮像再生装置。
【請求項６】
前記再生表示させる表示部の選択を撮影後に実行可能としたことを特徴とする請求項５に記載の撮像再生装置。
【請求項７】
前記再生表示させる表示部の選択を撮影前に実行可能としたことを特徴とする請求項５に記載の撮像再生装置。
【請求項８】
前記再生表示させる表示部の選択を撮影後の一時再生表示中に実行可能としたことを特徴とする請求項５に記載の撮像再生装置。
【請求項９】
前記画像記憶部に記憶された画像を、前記再生表示選択手段によって選択された表示部に再生表示させる画像再生表示手段を有することを特徴とする請求項５〜８の何れか１項に記載の撮像再生装置。
【請求項１０】
前記画像再生表示手段は、撮影直後にそのとき撮影した画像を前記画像記憶部から再生して、前記再生表示選択手段によって選択された表示部に一時再生表示させることを特徴とする請求項９に記載の撮像再生装置。
【請求項１１】
電子的に画像表示を行うことが可能な液晶ディスプレイ及び覗き込み型のビューファインダーを有する撮像再生装置の制御方法であって、
撮影時または再生時のメニュー表示において、前記覗き込み型のビューファインダーに所定のメニューを表示させるメニュー表示制御工程を有することを特徴とする撮像再生装置の制御方法。
【請求項１２】
前記メニュー表示制御工程は、撮影時または再生時のメニュー表示において、前記覗き込み型のビューファインダーに目の生体認証の設定を行うメニューを表示させることを特徴とする請求項１１に記載の撮像再生装置の制御方法。
【請求項１３】
前記メニュー表示制御工程は、撮影時または再生時のメニュー表示において、前記覗き込み型のビューファインダーに視線入力ＡＦ用の視線キャリブレーションを行うメニューを表示させることを特徴とする請求項１１または１２に記載の撮像再生装置の制御方法。
【請求項１４】
前記メニュー表示制御工程は、撮影時または再生時のメニュー表示において、前記覗き込み型のビューファインダーにパスワード設定を行うメニューを表示させることを特徴とする請求項１１〜１３の何れか１項に記載の撮像再生装置の制御方法。
【請求項１５】
電子的に画像表示を行うことが可能な液晶ディスプレイ及び覗き込み型のビューファインダーと、再生画像を記憶するための画像記憶部とを有する撮像再生装置の制御方法であって、
前記画像記憶部に記憶している画像を前記液晶ディスプレイでのみ再生表示させるか、または前記覗き込み型のビューファインダーのみで再生表示させるか、または前記液晶ディスプレイ及び前記覗き込み型のビューファインダーの両方で再生表示させるかをユーザが選択するための再生表示選択工程を有することを特徴とする撮像再生装置の制御方法。
【請求項１６】
前記再生表示させる表示部の選択を撮影後に実行可能としたことを特徴とする請求項１５に記載の撮像再生装置の制御方法。
【請求項１７】
前記再生表示させる表示部の選択を撮影前に実行可能としたことを特徴とする請求項１５に記載の撮像再生装置の制御方法。
【請求項１８】
前記再生表示させる表示部の選択を撮影後の一時再生表示中に実行可能としたことを特徴とする請求項１５に記載の撮像再生装置の制御方法。
【請求項１９】
前記画像記憶部に記憶された画像を、前記再生表示選択工程によって選択された表示部に再生表示させる画像再生表示工程を有することを特徴とする請求項１５〜１８の何れか１項に記載の撮像再生装置の制御方法。
【請求項２０】
前記画像再生表示工程は、撮影直後にそのとき撮影した画像を前記画像記憶部から再生して、前記再生表示選択工程によって選択された表示部に一時再生表示させることを特徴とする請求項１９に記載の撮像再生装置の制御方法。
【請求項２１】
電子的に画像表示を行うことが可能な液晶ディスプレイ及び覗き込み型のビューファインダーを有する像再生装置においてコンピュータに実行させるプログラムであって、
撮影時または再生時のメニュー表示において、前記覗き込み型のビューファインダーに所定のメニューを表示させるメニュー表示制御工程をコンピュータに実行させることを特徴とするコンピュータプログラム。
【請求項２２】
電子的に画像表示を行うことが可能な液晶ディスプレイ及び覗き込み型のビューファインダーと、再生画像を記憶するための画像記憶部とを有する撮像再生装置においてコンピュータに実行させるプログラムであって、
前記画像記憶部に記憶している画像を前記液晶ディスプレイでのみ再生表示させるか、または前記覗き込み型のビューファインダーのみで再生表示させるか、または前記液晶ディスプレイ及び前記覗き込み型のビューファインダーの両方で再生表示させるかをユーザが選択するための再生表示選択工程をコンピュータに実行させることを特徴とするコンピュータプログラム。
【請求項２３】
請求項２１または２２に記載のコンピュータプログラムを記録したことを特徴とするコンピュータ読み取り可能な記録媒体。
【手続補正２】
【補正対象書類名】明細書
【補正対象項目名】００１６
【補正方法】変更
【補正の内容】
【００１６】
本発明の撮像再生装置は、電子的に画像表示を行うことが可能な液晶ディスプレイ及び覗き込み型のビューファインダーを有する撮像再生装置であって、撮影時または再生時のメニュー表示において、前記覗き込み型のビューファインダーに所定のメニューを表示させるメニュー表示制御手段を有することを特徴とする。
また、本発明の撮像再生装置の他の特徴とするところは、電子的に画像表示を行うことが可能な液晶ディスプレイ及び覗き込み型のビューファインダーと、再生画像を記憶するための画像記憶部とを有する撮像再生装置であって、前記画像記憶部に記憶している画像を前記液晶ディスプレイでのみ再生表示させるか、または前記覗き込み型のビューファインダーのみで再生表示させるか、または前記液晶ディスプレイ及び前記覗き込み型のビューファインダーの両方で再生表示させるかをユーザが選択するための再生表示選択手段を有することを特徴とする。
【手続補正３】
【補正対象書類名】明細書
【補正対象項目名】００１７
【補正方法】変更
【補正の内容】
【００１７】
本発明の撮像再生装置の制御方法は、電子的に画像表示を行うことが可能な液晶ディスプレイ及び覗き込み型のビューファインダーを有する撮像再生装置の制御方法であって、撮影時または再生時のメニュー表示において、前記覗き込み型のビューファインダーに所定のメニューを表示させるメニュー表示制御工程を有することを特徴とする。
また、本発明の撮像再生装置の他の特徴とするところは、電子的に画像表示を行うことが可能な液晶ディスプレイ及び覗き込み型のビューファインダーと、再生画像を記憶するための画像記憶部とを有する撮像再生装置の制御方法であって、前記画像記憶部に記憶している画像を前記液晶ディスプレイでのみ再生表示させるか、または前記覗き込み型のビューファインダーのみで再生表示させるか、または前記液晶ディスプレイ及び前記覗き込み型のビューファインダーの両方で再生表示させるかをユーザが選択するための再生表示選択工程を有することを特徴とする。
【手続補正４】
【補正対象書類名】明細書
【補正対象項目名】００１８
【補正方法】変更
【補正の内容】
【００１８】
本発明のコンピュータプログラムは、電子的に画像表示を行うことが可能な液晶ディスプレイ及び覗き込み型のビューファインダーを有する像再生装置においてコンピュータに実行させるプログラムであって、撮影時または再生時のメニュー表示において、前記覗き込み型のビューファインダーに所定のメニューを表示させるメニュー表示制御工程をコンピュータに実行させることを特徴とする。
また、本発明のコンピュータプログラムの他の特徴とするところは、電子的に画像表示を行うことが可能な液晶ディスプレイ及び覗き込み型のビューファインダーと、再生画像を記憶するための画像記憶部とを有する撮像再生装置においてコンピュータに実行させるプログラムであって、前記画像記憶部に記憶している画像を前記液晶ディスプレイでのみ再生表示させるか、または前記覗き込み型のビューファインダーのみで再生表示させるか、または前記液晶ディスプレイ及び前記覗き込み型のビューファインダーの両方で再生表示させるかをユーザが選択するための再生表示選択工程をコンピュータに実行させることを特徴とする。